(57)【要約】      （修正有）【課題】乳母車に着座する乳幼児に前方から差し込む直射日光を遮ることができる乳母車用シェードを提供する。【解決手段】幌を覆う大きさに形成され、第１外周区間１２と第２外周区間１５とを有し、一方の面に金属光沢を有するシート状の第１シェード部材と、第２外周区間に沿って延在するように第１シェード部材に取り付けられている第１フレーム２と、第２外周区間において、第１シェード部材の第１部分１７から第２部分１８に亘る部分に沿って延在するように基端周縁３１が取り付けられ、第１フレームの延在面と交差する方向に延びるように形成されたシート状の第２シェード部材３と、第２シェード部材の先端周縁４１に沿って延在するように取り付けられている第２フレーム４と、を備え、第２フレームは、第１フレームの延在面に対し、一方の側から他方の側に可逆的に位置を変えることができる。【選択図】図１
0003189517.tif 000002
【実用新案登録請求の範囲】
【請求項１】
幌を有する乳母車に当該幌に被せるように装着される乳母車用シェードであって、
少なくとも前記幌を覆う大きさに形成され、基端縁に対応する外周区間からなる第１外周区間と当該基端縁と先端縁との間の両側端縁に対応する外周区間及び当該先端縁に対応する外周区間からなる第２外周区間とを有し、一方の面に金属光沢を有するシート状の第１シェード部材と、
前記第１シェード部材の前記第２外周区間に沿って延在するように前記第１シェード部材に取り付けられている第１フレームと、
前記第２外周区間において、前記第１シェード部材の一方の側端縁に対応する外周区間の第１部分から前記第１シェード部材の他方の側端縁に対応する外周区間の第２部分に亘る部分に当該部分に沿って延在するように基端周縁が取り付けられ、前記第１フレームの延在面と交差する方向に延びるように形成されたシート状の第２シェード部材と、
前記第２シェード部材の先端周縁に沿って延在するように前記第２シェード部材に取り付けられている第２フレームと、を備え、
前記第２フレームは、当該第２フレームが当該第１フレームの延在面に対し、一方の側から他方の側に可逆的に位置を変えることができるように構成されている、乳母車用シェード。
【請求項２】
前記第２フレームは、両端が前記第１フレームと離間して、前記第２シェード部材に取り付けられている、請求項１に記載の乳母車用シェード。
【請求項３】
前記第２シェード部材は、前記第１シェード部材の先端から前記第１部分及び前記第２部分に向かうに従って先端周縁が基端周縁に近づくように形成され、
前記第２フレームは、一方の端部が第１部分近傍に位置し、他方の端部が第２部分近傍に位置する、請求項２に記載の乳母車用シェード。
【請求項４】
前記第１シェード部材の第２外周区間は、湾曲して延在し、
前記第１フレームは、第１シェード部材の第２外周区間の両側端縁が互いに離間する方向に第１シェード部材の第２外周区間の両側端縁を付勢する弾性体で構成されている、請求項１乃至３の何れかに記載の乳母車用シェード。
【請求項５】
前記第１シェード部材の両側端縁に基端縁が取り付けられ、伸縮性を有する一対の側部と、
一対の側部の先端部に取り付けられ、前記一対の側部の先端部を前記乳母車に係止可能に構成されている一対の第１係止部と、
前記第１シェード部材の第２外周区間の両端部に取り付けられ、前記第１シェード部材の第２外周区間の両端部を前記乳母車に係止可能に構成されている一対の第２係止部と、を更に備える、請求項１乃至４の何れかに記載の乳母車用シェード。
【考案の詳細な説明】
【技術分野】
【０００１】
本考案は、乳母車に装着して用いられる乳母車用シェードに関する。
【背景技術】
【０００２】
従来から乳母車に装着して用いられる乳母車用日除け装具が知られている（例えば特許文献１参照）。
【０００３】
この乳母車用日除け装具は、紫外線非透過性を有し、乳母車の上方を覆う大きさに形成した本体シート部と、本体シート部の外周部に取り付けられた棒状の芯材と、乳母車に対する固定を行う固定手段と、を備えている。これによって、様々な乳母車に対して乳母車用日除け装具を取り付けることができる。
【先行技術文献】
【特許文献】
【０００４】
【特許文献１】特開２００６−１５８８３号公報
【考案の概要】
【考案が解決しようとする課題】
【０００５】
しかし、特許文献１に記載の乳母車用日除け装具は、乳母車に着座する乳幼児に対して前方から差し込む直射日光を十分に遮ることができないという問題があった。
【課題を解決するための手段】
【０００６】
上記課題を解決するため、本考案のある態様に係る乳母車用シェードは、幌を有する乳母車に当該幌に被せるように装着される乳母車用シェードであって、少なくとも前記幌を覆う大きさに形成され、基端縁に対応する外周区間からなる第１外周区間と当該基端縁と先端縁との間の両側端縁に対応する外周区間及び当該先端縁に対応する外周区間からなる第２外周区間とを有し、一方の面に金属光沢を有するシート状の第１シェード部材と、前記第１シェード部材の前記第２外周区間に沿って延在するように前記第１シェード部材に取り付けられている第１フレームと、前記第２外周区間において、前記第１シェード部材の一方の側端縁に対応する外周区間の第１部分から前記第１シェード部材の他方の側端縁に対応する外周区間の第２部分に亘る部分に当該部分に沿って延在するように基端周縁が取り付けられ、前記第１フレームの延在面と交差する方向に延びるように形成されたシート状の第２シェード部材と、前記第２シェード部材の先端周縁に沿って延在するように前記第２シェード部材に取り付けられている第２フレームと、を備え、前記第２フレームは、当該第２フレームが当該第１フレームの延在面に対し、一方の側から他方の側に可逆的に位置を変えることができるよう構成されている。ここで、第１シェード部材の「ある端縁」に対応する「外周区間」とは、第１シェード部材の全外周のうち、当該「ある端縁」に一致する区間をいう。
【０００７】
この構成によれば、第２シェード部材を第１シェード部材から下方に延在するように位置させることができ、第２シェード部材によって、乳母車に着座する乳幼児に前方から差し込む直射日光を遮ることができる。また、第２フレームを第１フレームの延在面に対し、一方の側から他方の側に可逆的に位置を変えて第１シェード部材及び第２シェード部材を裏返すことができる。したがって、乳母車用シェードを乳母車に装着した状態において、第１シェード部材の金属光沢を有する側の面を上側に位置させたり、下側に位置させたりすることができる。そして、第１シェード部材の金属光沢を有する側の面を上側に位置させると、この面が太陽光を反射し、第１シェード部材の温度の上昇を抑制することができる。したがって、第１シェード部材から乳母車に着座する乳幼児への伝熱を抑制することができ、この乳幼児に快適な乗車空間を提供することができる。さらに、第１シェード部材の金属光沢を有する側の面を下側に位置させると、乳母車を押す使用者の目に入射する第１シェード部材からの反射光の量を低減することができ、この使用者が感じる眩しさを抑制することができる。換言すると、第１シェード部材の金属光沢を有する側の面が上側及び下側の何れの側に位置する状態においても、第２シェード部材を第１シェード部材から下方に延在するように位置させることができ、第２シェード部材によって、乳母車に着座する乳幼児に前方から差し込む直射日光を遮ることができる。
【０００８】
前記第２フレームは、両端が前記第１フレームと離間して、前記第２シェード部材に取り付けられていてもよい。
【０００９】
この構成によれば、第２フレームの両端が第１フレームに対し、互いに接続された第１シェード部材の両側端縁部及び第２シェード部材の基端縁部によって柔軟に接続されているので、第１フレームを第２フレームの内側を潜らせることによって、第２フレームを第１フレームの延在面に対し、一方の側から他方の側に可逆的に位置を変えることができる。
【００１０】
前記第２シェード部材は、前記第１シェード部材の先端から前記第１部分及び前記第２部分に向かうに従って先端周縁が基端周縁に近づくように形成され、前記第２フレームは、一方の端部が第１部分近傍に位置し、他方の端部が第２部分近傍に位置していてもよい。
【００１１】
この構成によれば、第２フレームを第１部分近傍及び第２部分近傍を通る仮想の軸線周りに、第１フレーム２の先端縁と第２フレームとが近接した折畳位置と、第１フレームの先端縁と第２フレームとが離間した展開位置との間を揺動させることができる。
【００１２】
前記第１シェード部材の第２外周区間は、湾曲して延在し、前記第１フレームは、第１シェード部材の第２外周区間の両側端縁が互いに離間する方向に第１シェード部材の第２外周区間の両側端縁を付勢する弾性体で構成されていてもよい。
【００１３】
この構成によれば、第１シェード部材が第１フレームによって張られた状態に維持されるようにすることができ、且つ、第１フレームを適宜弾性変形させて第２フレームの内側を容易に潜らせることができるので、第１シェード部材及び第２シェード部材を容易に裏返すことができる。
【００１４】
前記第１シェード部材の両側端縁に基端縁が取り付けられ、伸縮性を有する一対の側部と、一対の側部の先端部に取り付けられ、前記一対の側部の先端部を前記乳母車に係止可能に構成されている一対の第１係止部と、前記第１シェード部材の第２外周区間の両端部に取り付けられ、前記第１シェード部材の第２外周区間の両端部を前記乳母車に係止可能に構成されていてもよい。
【００１５】
この構成によれば、種々の乳母車に乳母車用シェードを装着することができる。
【考案の効果】
【００１６】
本考案は、第１シェード部材の金属光沢を有する側の面が上側及び下側の何れの側に位置する状態においても、第２シェード部材によって、乳母車に着座する乳幼児に前方から差し込む直射日光を遮ることができるという効果を奏する。
【図面の簡単な説明】
【００１７】
【図１】本考案の実施の形態に係る乳母車用シェードの構成例を示す斜視図であり、金属光沢を有する面を上面に位置させた状態を示す図である。
【図２】図１の乳母車用シェードの構成例を示す斜視図であり、金属光沢を有する面を下面に位置させた状態を示す図である。
【図３】図１の乳母車用シェードの第１部分の構成例を示す要部拡大図である。
【図４】図１の乳母車用シェードに使用例を示す斜視図である。
【考案を実施するための形態】
【００１８】
以下、本考案の実施の形態について、図面を参照しながら説明する。なお、本実施の形態によって本考案が限定されるものではない。また、以下では、全ての図を通じて、同一又は相当する要素には同一の参照符号を付して、その重複する説明を省略する。
【００１９】
（実施の形態）
図１は、本考案の実施の形態に係る乳母車用シェード１００の構成例を示す斜視図であり、金属光沢を有する面を上面に位置させた状態を示す図である。図２は、本考案の実施の形態に係る乳母車用シェード１００の構成例を示す斜視図であり、金属光沢を有する面を下面に位置させた状態を示す図である。図４は、乳母車用シェード１００の使用例を示す斜視図である。
【００２０】
乳母車用シェード１００は、図４に示すように幌１５０を有する乳母車１１０に装着されて用いられるシェードであり、幌１５０に被せるように装着されるものである。詳細は後述する通り、乳母車用シェード１００を幌１５０に被せるように装着することによって、乳母車１１０の座部１４０に着座する乳幼児に対する遮光性及び遮熱性を向上させることができる。以下では、説明の便宜上、乳母車用シェード１００を乳母車１１０に装着した状態において、幌１５０の基端１５０ａから先端１５０ｂに向かう方向を前といい、その反対方向を後ということがある。また、乳母車１１０の左方向及び右方向をそれぞれ左及び右といい、上方向及び下方向を上及び下ということがある。
【００２１】
図１及び図２に示すように、乳母車用シェード１００は、第１シェード部材１と、第１フレーム２と、第２シェード部材３と、第２フレーム４とを備える。
【００２２】
第１シェード部材１は、シート状に形成され、少なくとも幌１５０を覆う大きさに形成されている。なお、説明の便宜上、以下では、第１シェード部材１の全外周のうち、「ある端縁」に一致する区間を、第１シェード部材１の当該「ある端縁」に対応する「外周区間」と呼ぶ。すなわち、第１シェード部材１は、基端縁１１に対応する外周区間からなる第１外周区間１２と、基端縁１１と先端縁１３との間の両側端縁１４に対応する外周区間及び先端縁１３に対応する外周区間からなる第２外周区間１５とを有している。そして、第１シェード部材１の一方の面１ａは、金属光沢を有する。
【００２３】
本実施の形態において例示する形態において、第１シェード部材１は、ポリエステル製である。しかし、これに限られるものではない。そして、第１シェード部材１の基端縁１１（第１外周区間１２）は、乳母車１１０への装着時において、左右方向に延在するように一直線状に形成されている。基端縁１１は、筒状に形成され、内部にはゴム紐１６が挿通及び収容されている。このゴム紐１６の両端は、基端縁１１の両端部に縫合されて固定されている。ゴム紐１６は、伸びた状態で基端縁１１の両端部に固定された後、縮んでいるので、これによって、基端縁１１は、多数の襞が形成されるように短縮されている。これによって、乳母車用シェード１００を幅が狭い乳母車１１０に取り付けた場合においても、余った基端縁１１が垂れ下がって見栄えが悪化することを防ぐことができる。そして、第１シェード部材１の第２外周区間１５は、湾曲して延在している。そして、第２外周区間１５に沿って延在するように筒状部１９が第１シェード部材１に縫合されて取り付けられ、この筒状部１９の内部に第１フレーム２が収容されている。このようにして、第１フレーム２が第１シェード部材１に取り付けられている。なお、第１フレーム２の第１シェード部材１に対する取り付け方法はこの方法に限られるものではなく、これに代えて、直接固着されていてもよい。
【００２４】
そして、第１シェード部材１は、一方の面１ａにアルミが蒸着され、この面が金属光沢を有するように構成されている。これによって、この面が太陽光を反射し、第１シェード部材１の温度の上昇を抑制することができる。また、第１シェード部材１の他方の面１ｂは、例えば黒色であり、金属光沢を有しない。
【００２５】
第１フレーム２は、第１シェード部材１の第２外周区間１５に沿って延在するように第１シェード部材１に取り付けられている。
【００２６】
本実施の形態において例示する形態において、第１フレーム２は、ガラス繊維強化樹脂製の棒状体であり、弾性を有する。そして、上述の通り、第１フレーム２は、第１シェード部材１の筒状部１９に挿通及び収容されて、第１シェード部材１に取り付けられている。また、上述の通り、第２外周区間１５は湾曲しているため、第１フレーム２は、第２外周区間１５の両側端縁１４が互いに離間する方向に第１シェード部材１の第２外周区間１５の両側端縁１４を付勢している。したがって、第１シェード部材１は、第１フレーム２によって張られた状態に維持されている。このように、第１フレーム２は、第１シェード部材１の外周の形状を規定している。
【００２７】
第２シェード部材３は、特に、乳母車１１０の座部１４０に着座した乳幼児に前方から差し込む光を遮るためのものである。第２シェード部材３は、シート状に形成され、第２外周区間１５において、第１シェード部材１の一方の側端縁１４に対応する外周区間の第１部分１７から第１シェード部材１の他方の側端縁１４に対応する外周区間の第２部分１８に亘る部分にこの部分に沿って延在するように基端縁（基端外周）３１が取り付けられ、第１フレーム２の延在面と交差する方向に延びるように形成されている。
【００２８】
本実施の形態において例示する形態において、第２シェード部材３は、例えば、ポリエステル製である。しかし、これに限られるものではない。そして、第２シェード部材３の基端縁３１は、第１部分１７から第２部分１８に亘る第２外周区間１５に対応する端縁に縫合されて取り付けられている。
【００２９】
そして、第２シェード部材３は、第１シェード部材１の先端縁１３から第１部分１７及び第２部分１８にそれぞれ向かうに従って先端縁（先端外周）３２が基端縁３１に接近するように形成されている。そして、第２シェード部材３の先端縁３２に沿って延在するように筒状部３９が第２シェード部材３に縫合されて取り付けられ、この筒状部３９の内部に第２フレーム４が挿通及び収容されている。このようにして、第２フレーム４が第２シェード部材３に取り付けられている。なお、第２フレーム４の第２シェード部材３に対する取り付け方法はこの方法に限られるものではなく、これに代えて、第２フレーム４が第２シェード部材３に直接固着されていてもよい。
【００３０】
また、第１シェード部材１の第１部分１７から第２部分１８までの第２外周区間１５に沿った長さ寸法は、第２シェード部材３の先端縁３２の長さ寸法以上に形成されている。これによって、第２シェード部材３の先端縁３２が容易に第１シェード部材１の第２外周区間１５を乗り越えて反対側に位置しないようになっている。
【００３１】
図３は、乳母車用シェード１００の第１部分１７の構成例を示す要部拡大図である。
【００３２】
第２フレーム４は、第２シェード部材３の先端縁３２に沿って延在するように第２シェード部材３に取り付けられている。そして、第２フレーム４は、第２フレーム４が第１フレーム２の延在面に対し、一方の側から他方の側に可逆的に位置を変えることができるように構成されている。
【００３３】
本実施の形態において例示する形態において、第２フレーム４は、ガラス繊維強化樹脂製の棒状体であり、弾性を有する。そして、上述の通り、第２フレーム４は、第２シェード部材３の筒状部３９に収容されて、第２シェード部材３に取り付けられている。
【００３４】
そして、第２フレーム４は第１フレーム２と離間して第２シェード部材３に取り付けられている。すなわち、図３に示すように、第２フレーム４は、一方の端部が第１部分１７近傍に位置し、他方の端部が第２部分１８近傍に位置している。したがって、第２フレーム４は、第１部分１７近傍及び第２部分１８近傍を通る仮想の軸線周りに、図１又は２に示す第１フレーム２の先端縁１３と第２フレーム４の先端縁４１とが近接した折畳位置と、図４に示す第１フレーム２の先端縁１３と第２フレーム４の先端縁４１とが離間した展開位置との間を揺動するように構成されている。そして、乳母車用シェード１００は、第１フレーム２の先端縁１３と第２フレーム４の先端縁４１とを係合させる留め具８を有する。留め具８は雌雄一対のスナップボタンを備え、これらを係合させることによって、留め具８は第２フレーム４を折畳位置に保持する。また、乳母車用シェード１００を乳母車１１０に装着した状態においては、留め具８の係合を解除すると、の影響を受けて第２フレーム４は下方に揺動して展開位置に位置するようになっている。上述の通り、本実施の形態において留め具８はスナップボタンを備えるが、これに限定されず、例えば面ファスナーであってもよい。
【００３５】
また、上述の通り、第１フレーム２と第２フレーム４とは直接連結されておらず、第２フレーム４の両端が第１フレーム２に対し、互いに接続された第１シェード部材１の両側端縁部及び第２シェード部材３の基端縁部によって柔軟に接続されているので、第１フレーム２を第２フレーム４の内側を潜らせることによって、第２フレーム４を、第１フレーム２の延在面（第１シェード部材１）の一方の側から他方の側に位置させて第１シェード部材１及び第２シェード部材３を裏返すことができる。すなわち、第２フレーム４は、第１フレーム２の延在面の一方の側及び他方の側の何れの側にも位置させることができるようになっている。したがって、乳母車１１０への装着時において下方に位置する面の側に第２フレーム４を位置させることによって、乳母車１１０に着座した乳幼児に対して前方から差し込む光を第２シェード部材３によって遮ることができる。
【００３６】
具体的には、第１シェード部材１の第２外周区間１５の第１部分１７から第２部分１８に亘る部分に収容されている第１フレーム２を弾性変形させて、第２シェード部材３の先端縁３２（第２フレーム４）の内側を潜らせることによって、第２フレーム４を第１フレーム２（第１シェード部材１）の延在面に対し、一方の側から他方の側に可逆的に位置を変えることができる。これによって、乳母車用シェード１００を乳母車１１０に装着して状態において、第１シェード部材１の金属光沢を有する側の面１ａを上側に位置させたり、第１シェード部材１の金属光沢を有しない側の面１ｂを上側に位置させたりすることができる。第２外周区間１５を弾性変形させた第１フレーム２は、第１フレーム２の復元力によって、湾曲した形状に復元する。
【００３７】
そして、本実施の形態において例示する形態において、乳母車用シェード１００は、乳母車用シェード１００を乳母車１１０に取り付けるための機構を更に有する。この機構は、一対の側部５と、一対の第１係止部６と、一対の第２係止部７とを含む。
【００３８】
一対の側部５は、伸縮性を有し、第１シェード部材１の両側端縁１４に基端縁５１が取り付けられている。
【００３９】
すなわち、一対の側部５は、三角形状に形成された伸縮性を有する布状体で構成されている。そして、一方の側部５は、一辺が第１部分１７を含む側端縁１４に縫合されて取り付けられている。また、他方の側部５は、一辺が第２部分１８を含む側端縁１４に縫合されて取り付けられている。
【００４０】
一対の第１係止部６は、一対の側部５の先端部５２に取り付けられ、一対の側部５の先端部５２を乳母車１１０に係止可能に構成されている。
【００４１】
すなわち、一対の第１係止部６は、帯状体で構成されている。そして、一対の第１係止部６の基端部は、一対の側部５の側端縁１４に縫合されていない２辺が交わっている先端部５２に縫合されて取り付けられ、ここから延びるように設けられている。第１係止部６は、先端部と、先端部よりも基端部側の部分とを係合させる面ファスナー６１を有する。
【００４２】
一対の第２係止部７は、第１シェード部材１の第２外周区間１５の両端部に取り付けられ、第１シェード部材１の第２外周区間１５の両端部を乳母車１１０に係止可能に構成されている。
【００４３】
すなわち、一対の第２係止部７は、帯状体で構成され、第２外周区間１５の両端部から延びるように設けられている。そして、第２係止部７は、先端部と、先端部よりも基端部側の部分とを係合させる面ファスナー７１を有する。
［使用例］
次に、乳母車用シェード１００の使用例を説明する。
【００４４】
本使用例では、図４を参照しながら乳母車用シェード１００を乳母車１１０に取り付ける場合の使用例について説明する。
【００４５】
この乳母車１１０は、所謂背面押し型のベビーカーであり、幅方向に並んで上下方向に傾斜して延びる一対の第１支持杆１２０と、上端部が一対の第１支持杆１２０に連結された一対の第２支持杆１３０と、座部１４０と、幌１５０と、を備える。一対の第１支持杆１２０は、上端部に一対の持ち手１２１が設けられ、下端部に一対の前輪１２２が設けられている。一対の第２支持杆１３０は、下端部に一対の後輪１３１が設けられている。座部１４０は、一対の第１支持杆１２０に支持されている。幌１５０は、座部１４０の上方において、一対の第１支持杆１２０に支持されている。
【００４６】
上記のように構成されている乳母車１１０に乳母車用シェード１００を装着するときは、まず、装着時において、第１シェード部材１の下面となる面の側に第２シェード部材３及び第２フレーム４を位置させる。すなわち、第１シェード部材１の第２外周区間１５の第１部分１７から第２部分１８に亘る部分に収容されている第１フレーム２を弾性変形させて、第２シェード部材３の先端縁３２（第２フレーム４）を潜らせることによって、第２フレーム４を第１フレーム２の延在面（第１シェード部材１）に対し、一方の側から他方の側に可逆的に位置を変える。例えば、第１シェード部材１の金属光沢を有する側の面１ａを上面に位置させたい時は、第１シェード部材１の金属光沢を有しない面（黒色の面）１ｂの側に第２シェード部材３及び第２フレーム４を位置させる。これによって、第１シェード部材１の金属光沢を有する側の面１ａが太陽光を反射し、第１シェード部材１の温度の上昇を抑制することができる。したがって、第１シェード部材１から乳母車１１０の座部１１２に着座する乳幼児への伝熱を抑制することができ、この乳幼児に快適な乗車空間を提供することができる。また、第１シェード部材１の金属光沢を有しない面（黒色の面）１ｂを上面に位置させたい時は、第１シェード部材１の金属光沢を有する面１ａの側に第２シェード部材３及び第２フレーム４を位置させる。これによって、乳母車１１０の持ち手１２１を持って乳母車１１０を押す使用者の目に入射する第１シェード部材１からの反射光の量を低減することができ、この使用者が感じる眩しさを抑制することができる。
【００４７】
このように、第１シェード部材１の金属光沢を有する側の面が上側及び下側の何れの側に位置する状態においても、第２シェード部材３を第１シェード部材１から下方に延在するように位置させることができる。
【００４８】
次に、第２外周区間１５よりも第１外周区間１２が乳母車１１０の持ち手１２１側に位置するように乳母車用シェード１００を幌１５０に被せる。更に、第１外周区間１２が左右方向に延在するように乳母車用シェード１００の向きを調整する。
【００４９】
次に、一対の第１係止部６の先端部を一対の第１支持杆１２０に巻き付けて第１係止部６の先端部と、先端部よりも基端側の部分を面ファスナー６１によって係合させる。これによって、乳母車用シェード１００の位置がずれないように乳母車用シェード１００を乳母車１１０に係止することができる。
【００５０】
上述の通り、一対の側部５は伸縮性を有するので、一対の第１係止部６が一対の第１支持杆１２０に届かず、巻き付けることができないときは、一対の側部５を引っ張って伸長させることによって、一対の第１係止部６を一対の第１支持杆１２０に巻き付けることができる。このように、幌１５０と一対の第１支持杆１２０との間隔が異なる種々の乳母車に乳母車用シェード１００を取り付けることができるようになっている。
【００５１】
また、一対の第２係止部７を一対の第１支持杆１２０の持ち手１２１又はその近傍に巻き付けて第２係止部７の先端部と、先端部よりも基端側の部分を面ファスナー７１によって係合させる。これによって、更に乳母車用シェード１００がずれないように乳母車用シェード１００を乳母車１１０に係止することができる。
【００５２】
このように、乳母車用シェード１００を乳母車１１０に装着することができる。これによって、乳母車１１０の座部１４０に着座する乳幼児に対する遮光性及び遮熱性を向上させることができる。
【００５３】
そして、第２フレーム４を折畳位置に位置させると、乳母車１１０の座部１４０に着座する乳幼児からの見晴らしを良くすることができる。また、第２フレーム４を展開位置に位置させると、乳母車１１０の座部１４０に着座する乳幼児に前方から差し込む直射日光を遮ることができる。
【００５４】
以上に説明したように、本考案の乳母車用シェード１００は、第２フレーム４を第１フレーム２の延在面（第１シェード部材１）に対し、一方の側から他方の側に可逆的に位置を変えることができ、これによって、乳母車用シェード１００を乳母車１１０に装着した状態において、第１シェード部材１の金属光沢を有する側の面１ａを上側に位置させたり、第１シェード部材１の金属光沢を有しない側の面１ｂを上側に位置させたりすることができる。そして、第１シェード部材１の金属光沢を有する側の面１ａを上側に位置させると、この面１ａが太陽光を反射し、第１シェード部材１の温度の上昇を抑制することができる。したがって、第１シェード部材１から乳母車１１０の座部１１２に着座する乳幼児への伝熱を抑制することができ、この乳幼児に快適な乗車空間を提供することができる。また、第１シェード部材１の金属光沢を有する面１ａの側に第２シェード部材３及び第２フレーム４を位置させると、乳母車１１０の持ち手１２１を持って乳母車１１０を押す使用者の目に入射する第１シェード部材１からの反射光の量を低減することができ、この使用者が感じる眩しさを抑制することができる。
【００５５】
そして、第１シェード部材１の金属光沢を有する側の面が上側及び下側の何れの側に位置する状態においても、第２シェード部材３を第１シェード部材１から下方に延在するように位置させることができ、第２シェード部材３を展開位置に位置させることによって、乳母車１１０に着座する乳幼児に前方から差し込む直射日光を遮ることができる。
【００５６】
上記説明から、当業者にとっては、本考案の多くの改良や他の実施形態が明らかである。従って、上記説明は、例示としてのみ解釈されるべきであり、本考案を実行する最良の態様を当業者に教示する目的で提供されたものである。本考案の精神を逸脱することなく、その構造及び／又は機能の詳細を実質的に変更できる。
【産業上の利用可能性】
【００５７】
本件考案は、乳母車用具に適用することができる。
【符号の説明】
【００５８】
１  第１シェード部材
１ａ  面
１ｂ  面
２  第１フレーム
３  第２シェード部材
４  第２フレーム
５  側部
６  第１係止部
７  第２係止部
８  留め具
１１  基端縁
１２  第１外周区間
１３  先端縁
１４  側端縁
１５  第２外周区間
１６  ゴム紐
１７  第１部分
１８  第２部分
１９  筒状部
３１  基端周縁
３２  先端周縁
３９  筒状部
４１  先端周縁
５１  基端縁
５２  先端部
６１  面ファスナー
７１  面ファスナー
１００  乳母車用シェード
１１０  乳母車
１１２  座部
１４０  座部
１５０  幌
【図１】
0003189517.tif 000003
【図２】
0003189517.tif 000004
【図３】
0003189517.tif 000005
【図４】
0003189517.tif 000006
【手続補正書】
【提出日】平成26年1月17日(2014.1.17)
【手続補正１】
【補正対象書類名】実用新案登録請求の範囲
【補正対象項目名】全文
【補正方法】変更
【補正の内容】
【実用新案登録請求の範囲】
【請求項１】
幌を有する乳母車に当該幌に被せるように装着される乳母車用シェードであって、
少なくとも前記幌を覆う大きさに形成され、基端縁に対応する外周区間からなる第１外周区間と当該基端縁と先端縁との間の両側端縁に対応する外周区間及び当該先端縁に対応する外周区間からなる第２外周区間とを有し、一方の面に金属光沢を有するシート状の第１シェード部材と、
前記第１シェード部材の前記第２外周区間に沿って延在するように前記第１シェード部材に取り付けられている第１フレームと、
前記第２外周区間において、前記第１シェード部材の一方の側端縁に対応する外周区間の第１部分から前記第１シェード部材の他方の側端縁に対応する外周区間の第２部分に亘る部分に当該部分に沿って延在するように基端周縁が取り付けられ、前記第１フレームの延在面と交差する方向に延びるように形成されたシート状の第２シェード部材と、
前記第２シェード部材の先端周縁に沿って延在するように前記第２シェード部材に取り付けられている第２フレームと、を備え、
前記第２フレームは、両端が前記第１フレームと離間して、前記第２シェード部材に取り付けられている、乳母車用シェード。
【請求項２】
前記第２シェード部材は、前記第１シェード部材の先端から前記第１部分及び前記第２部分に向かうに従って先端周縁が基端周縁に近づくように形成され、
前記第２フレームは、一方の端部が第１部分近傍に位置し、他方の端部が第２部分近傍に位置する、請求項１に記載の乳母車用シェード。
【請求項３】
前記第１シェード部材の第２外周区間は、湾曲して延在し、
前記第１フレームは、第１シェード部材の第２外周区間の両側端縁が互いに離間する方向に第１シェード部材の第２外周区間の両側端縁を付勢する弾性体で構成されている、請求項１又は２に記載の乳母車用シェード。
【請求項４】
前記第１シェード部材の両側端縁に基端縁が取り付けられ、伸縮性を有する一対の側部と、
一対の側部の先端部に取り付けられ、前記一対の側部の先端部を前記乳母車に係止可能に構成されている一対の第１係止部と、
前記第１シェード部材の第２外周区間の両端部に取り付けられ、前記第１シェード部材の第２外周区間の両端部を前記乳母車に係止可能に構成されている一対の第２係止部と、を更に備える、請求項１乃至３の何れかに記載の乳母車用シェード。
【手続補正２】
【補正対象書類名】明細書
【補正対象項目名】０００６
【補正方法】変更
【補正の内容】
【０００６】
上記課題を解決するため、本考案のある態様に係る乳母車用シェードは、幌を有する乳母車に当該幌に被せるように装着される乳母車用シェードであって、少なくとも前記幌を覆う大きさに形成され、基端縁に対応する外周区間からなる第１外周区間と当該基端縁と先端縁との間の両側端縁に対応する外周区間及び当該先端縁に対応する外周区間からなる第２外周区間とを有し、一方の面に金属光沢を有するシート状の第１シェード部材と、前記第１シェード部材の前記第２外周区間に沿って延在するように前記第１シェード部材に取り付けられている第１フレームと、前記第２外周区間において、前記第１シェード部材の一方の側端縁に対応する外周区間の第１部分から前記第１シェード部材の他方の側端縁に対応する外周区間の第２部分に亘る部分に当該部分に沿って延在するように基端周縁が取り付けられ、前記第１フレームの延在面と交差する方向に延びるように形成されたシート状の第２シェード部材と、前記第２シェード部材の先端周縁に沿って延在するように前記第２シェード部材に取り付けられている第２フレームと、を備え、前記第２フレームは、両端が前記第１フレームと離間して、前記第２シェード部材に取り付けられている。ここで、第１シェード部材の「ある端縁」に対応する「外周区間」とは、第１シェード部材の全外周のうち、当該「ある端縁」に一致する区間をいう。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
また、第２フレームの両端が第１フレームに対し、互いに接続された第１シェード部材の両側端縁部及び第２シェード部材の基端縁部によって柔軟に接続されているので、第１フレームを第２フレームの内側を潜らせることによって、第２フレームを第１フレームの延在面に対し、一方の側から他方の側に可逆的に位置を変えることができる。